(57)【要約】      （修正有）【課題】異なる量の米を容易に計量できる計量カップを提供する。【解決手段】計量カップ１００は、筒体１１の一方の端部を塞ぐ底部１４を有し、他方の端部が開放され開口部１５とした計量部１０を備える。開口部１５が形成する平面である開口面２１は、筒体１１に対し傾斜しており、底部１４は、開口面２１と平行に形成されている。【選択図】図１
2017187308.tif 000002
【特許請求の範囲】
【請求項１】
筒体の一方の端部を塞ぎ底部とし、他方の端部が開放され開口部とした計量部と、
前記開口部が形成する平面である開口面と、
前記開口面に垂直な方向から見た時の前記開口部の形状の重心及び前記底部に垂直な方向から見た時の前記底部の形状の重心を通る直線である中心軸と、を有し、
前記開口面は、
前記中心軸に対し傾斜しており、
前記底部は、
前記開口面と平行に形成されている、計量カップ。
【請求項２】
前記開口面の法線と前記中心軸とを含む平面である中央面と、
前記中央面と前記開口部との２つの交点である開口部交点と、
前記筒体の内周面と前記計量部の底面との交線と、
前記交線と前記中央面との２つの交点である底部交点と、を有し、
前記筒体は、
計量線を備え、
前記計量線は、
前記開口部交点と前記底部交点を結んで形成される四角形の対角線のうち短い方の対角線を、前記筒体に前記中央面に垂直な方向から投影してできた線に沿って形成されている、請求項１に記載の計量カップ。
【請求項３】
前記開口部は、
前記開口面に垂直な方向から見た時の形状の少なくとも一部に直線部を有する、請求項１又は２に記載の計量カップ。
【請求項４】
筒体の一方の端部を塞ぎ底部とし、他方の端部が開放され開口部とした計量部を備え、
前記開口部は、
当該開口部が形成する平面である開口面に垂直な方向から見た時の形状の少なくとも一部に直線部を有する、計量カップ。
【請求項５】
前記直線部は、
前記開口部が開口している方向に向けて延びる舌片部を備え、
前記舌片部は、
先端に向かうに従い肉厚が前記筒体の内側から外側方向へ薄くなるように形成されている、請求項３又は４に記載の計量カップ。
【発明の詳細な説明】
【技術分野】
【０００１】
本発明は、炊飯器で炊飯する米等の炊飯原料の量を計量する計量カップの構造に関するものである。
【背景技術】
【０００２】
従来より、炊飯器で炊飯する米を計量する計量カップがある。この計量カップは、計量カップを米びつの中に入れて米をすくい上げ、計量カップの上端部から突出した分の米を、計量カップをゆすることなく、上端部に合せてほぼ平ら（水平）に均すように摺り切ると１合（１８０ｍｌ）となり、炊飯したい米の量を計量するために使用されている。炊飯時において、米の量と水の量との比率が変わると、炊きあがり時の米のできばえが大きく変わってくる。よって、炊飯時の米の量は正確に計量する必要がある。特許文献１においては、計量カップの上端部で米を摺り切ることで１合の米を計量する。
【０００３】
最近では、０．５合単位（例えば、０．５合、１．５合、２．５合・・・）で米の量を調整して炊飯するユーザーが増えてきている。前述の計量カップを用いて、米の量を０．５合単位で調節したい場合には、目分量で米の量を計ったり、また、０．５合の目盛りが印刷あるいは刻印された計量カップを用いて米の量を計っている。
【先行技術文献】
【特許文献】
【０００４】
【特許文献１】特開２０１１−１０６８６５号公報
【発明の概要】
【発明が解決しようとする課題】
【０００５】
前記のような計量カップでは、０．５合の米等の炊飯原料を計量する場合、炊飯原料を計量カップの上端部に合わせて摺り切ることができないため、目分量で、あるいは計量カップに設けられた目盛りに合わせるしかなかった。計量カップの目盛り線に合わせるためには、計量したい量よりも多めにすくい取った炊飯原料を計量カップを傾けることにより徐々に計量カップ外にこぼし、量の調整を行う。その際に、ユーザーが計量カップを傾け過ぎて炊飯原料をこぼし過ぎてしまい、再度炊飯原料をすくい直さなければならなくなるという課題があった。
【０００６】
本発明は、前述のような課題を解決するためになされたもので、計量カップの摺り切りでない計量をする場合であっても、米等の炊飯原料の調整を容易にできる計量カップを提供することを目的とする。
【課題を解決するための手段】
【０００７】
本発明に係る計量カップは、筒体の一方の端部を塞ぎ底部とし、他方の端部が開放され開口部とした計量部と、前記開口部が形成する平面である開口面と、前記開口面に垂直な方向から見た時の前記開口部の形状の重心及び前記底部に垂直な方向から見た時の前記底部の形状の重心を通る直線である中心軸と、を有し、前記開口面は、前記中心軸に対し傾斜しており、前記底部は、前記開口面と平行に形成されている。
【発明の効果】
【０００８】
本発明によれば、筒体に対し開口部が傾斜して設けられており、開口部端面が形成する平面と筒体とが成す角度が最も大きい点から計量カップ内部の炊飯原料をこぼすことにより、計量カップを傾ける角度に対するこぼれる炊飯原料の量が少なくなり、計量する炊飯原料の調整が容易になる。
【図面の簡単な説明】
【０００９】
【図１】本発明の実施の形態１に係る計量カップを示す斜視図である。
【図２】図１の計量カップのＡ−Ａ断面を示す説明図である。
【図３】図２の計量カップを模式的に表した説明図である。
【図４】比較例としての計量カップを模式的に表した説明図である。
【図５】本発明の実施の形態２に係る計量カップの斜視図である。
【図６】図５のＢ−Ｂ断面を示す説明図である。
【図７】実施の形態２に係る計量カップの変形例である計量カップの斜視図である。
【図８】図７のＣ−Ｃ断面を示す説明図である。
【発明を実施するための形態】
【００１０】
以下、図面に基づいて本発明の実施の形態について説明する。各図において、同一の符号を付した部位等については、同一の又はこれに相当する部位を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の部位等について、特に区別したり、特定したりする必要がない場合には、添字を省略して記載する場合がある。また、図面では各構成部材の大きさの関係が実際のものとは異なる場合がある。
【００１１】
実施の形態１．
図１は、本発明の実施の形態１に係る計量カップ１００を示す斜視図である。図２は、図１の計量カップ１００のＡ−Ａ断面を示す説明図である。
実施の形態１における計量カップ１００は、計量部１０を備える。計量部１０は、筒体１１と筒体１１の一端を塞ぐ底部１４とを備える。筒体１１の開放されている側の端部は計量部１０の開口部１５となっている。開口部１５と底部１４とは、平行になっている。さらに詳細に説明すると、開口部１５が形成する仮想平面である開口面２１は、底部１４と平行になっている。また、開口面２１は、底部１４の計量部１０内の面である底面１３と平行になっている。ただし、底面１３は、製造上の都合により平面ではなく、図２において上方に突出した曲面である場合がある。その場合は、底面１３と筒体１１の内周面１６が交わって形成される曲線１７を含む平面と開口面２１が平行となるように形成されている。
【００１２】
実施の形態１において、筒体１１は、開口部１５に平行な断面が楕円形状である。また、筒体１１は、開口面２１に対し傾斜している。つまり、筒体１１の中心軸２２は、開口面２１の法線２３に対し傾斜している。また、図２に示されるように、実施の形態１においては、筒体１１は、底部１４から開口部１５に至るまで、開口部１５に平行な断面が同じ形状で構成されているが、底部１４から開口部１５に向かうに従い徐々に大きくなるように構成されていても良い。なお、筒体１１の開口部１５に平行な断面は必ずしも楕円形状である必要はなく適宜変更できる。筒体１１の断面形状がどのような場合であっても、中心軸２２は以下の様に定義される。中心軸２２は、開口面２１に垂直な方向から見た時の開口部１５の形状の重心を通り、また底部１４に垂直な方向から見た時の底部１４の形状の重心を通る。
【００１３】
なお、実施の形態１において、筒体１１に対する開口面２１の傾斜方向は、筒体１１の断面形状である楕円の長軸に沿った方向に傾斜しているが、これに限定されない。筒体１１に対する開口面２１の傾斜方向は、任意の方向に適宜設定すれば良い。
【００１４】
図２に示されているように、筒体１１には計量線６０が設けられている。計量線６０は、筒体１１に刻印、印刷等の手段により形成されている。計量線６０は、おおよそ底部１４を水平に置いた時に底部１４から開口部１５へ向かって長手方向を向けている。ここで、計量線６０の配置について詳細に説明する。筒体１１の中心軸２２と開口面２１の法線２３とを含む平面を中央面２０とする。中央面と開口部１５との２つの交点を開口部交点３１、３２とする。筒体１１の内周面１６が底面１３と交わる曲線１７と中央面２０との２つの交点を底部交点３３、３４とする。開口部交点３１、３２及び底部交点３３、３４を結ぶと四角形２６が形成される。実施の形態１においては、その四角形２６は平行四辺形で表されており、その平行四辺形の対角線２４、２５のうち短い方の対角線２４を、筒体１１に中央面２０に垂直な方向から投影した線に沿って、計量線６０は設けられている。なお、四角形２６は平行四辺形に限定されない。例えば、筒体１１が底部１４から開口部１５に向かって断面形状が大きくなるように形成されている場合は、四角形２６は台形となる。このように四角形２６が台形になる場合であっても、計量線６０は、短い方の対角線２４を筒体１１に中央面２０に垂直な方向から投影した線に沿って形成すればよい。
【００１５】
＜計量カップ１００による計量＞
実施の形態１に係る計量カップ１００を使用した炊飯原料である米、麦などの穀類の計量について説明する。なお、以下の説明においては一例として、米を計量する場合について説明する。
【００１６】
実施の形態１においては、計量カップ１００は、底部１４から開口部１５までの計量部１０の容積が例えば１合に設定されている。ただし、容積は適宜変更することができる。ユーザーは、米びつ内に貯留されている米に計量カップ１００を差し込み、米を計量部１０一杯に収容されるように米を掬い上げる。なお、計量カップ１００を、米に差し込む際に、図２に示される断面形状が鋭角になっている開口部交点３１側から米に差し込むと、容易に米に計量カップ１００の開口部１５を差し込むことができる。なお、筒体１１の中心軸２２に対する開口面２１の傾斜角度２７が大きいほど開口部交点３１の開口部１５は鋭角になるため、計量カップ１００は米に差し込み易くなる。
【００１７】
計量カップ１００に、計量部１０一杯に掬い上げた米を開口部１５の端面で摺り切ると、米を１合計量することができる。
【００１８】
また、近年ユーザーに望まれている０．５合単位の米の計量を行うには、以下の様な手順で計量する。まず、米びつ内に貯留されている米に計量カップ１００を差し込み、米を掬い上げる。この時、掬い上げる米の量は、計量部１０の半分以上であれば良い。そして、計量部１０内にある米が０．５合、すなわち計量部１０の底部１４から開口部１５までの容積の半分になるように米を開口部１５からこぼす。計量部１０から米をこぼす際には、筒体１１の中心軸２２について開口部交点３１と対称である開口部交点３２側から米をこぼす。このようにすると、筒体１１に対して開口部１５及び底部１４が傾斜していない計量カップ１０１と比較して、計量カップ１００を傾ける単位角度あたりにこぼれる米の量が少なくなる。そのため、ユーザーは、こぼす米の量を微調整しやすくなり、計量部１０に入っている米の量を計量線６０に合わせやすいという利点がある。
【００１９】
実施の形態１に係る計量カップ１００の、こぼす米の量の微調整が容易になる点について、以下に説明する。筒体１１に対して開口部１５及び底部１４が傾斜していない計量カップ１０１を比較例として、計量カップ１００と比較して説明する。
【００２０】
図３は、図２の計量カップ１００を模式的に表した説明図である。図４は、比較例としての計量カップ１０１を模式的に表した説明図である。図３（ａ）は開口部１５を水平にした状態の図であり、（ｂ）は開口部１５を（ａ）の状態から約４０°傾けた状態の図であり、（ｃ）は計量線６０が水平から約４０°傾けた状態の図である。図４（ａ）は開口部１５を水平にした状態の図であり、（ｂ）は開口部１５を（ａ）の状態から約４０°傾けた状態の図であり、（ｃ）は計量線６０が水平から約４０°傾けた状態の図である。なお、計量カップ１００と計量カップ１０１とにおいて、各図面において同一の又はこれに相当する部位を表すものは同一の符号を付して表示するものとする。計量カップ１０１は、底部１４から開口部１５までの筒体１１の断面形状が計量カップ１００と同じであり、筒体１１に対し底部１４及び開口部１５が傾斜していないものである。
【００２１】
計量カップ１００、１０１の計量部１０の開口部１５まで米を満たした状態から、計量カップ１００、１０１を傾けて米をこぼす場合を考える。計量カップ１００、１０１の計量部１０に収容された米の表面８０は、水平から約４０°傾斜させた時に崩れ、米粒が流れ始める。よって、図３の（ｂ）及び図４の（ｂ）の状態になった時に、計量カップ１００、１０１内の米の表面８０から米粒が流れ落ち始める。
【００２２】
計量カップ１００、１０１をさらに傾け、さらに米粒を流していき、米の表面８０が計量線６０に合うところまで米粒を流していくと、計量カップ１００、１０１の容積の半分の米が計量できる。図３（ｃ）及び図４（ｃ）は、計量カップ１００、１０１の計量線６０を水平に対し約４０°傾けた状態を示す図であり、この時米の表面８０にある米粒は、図中の白抜き矢印の方向に流れ、最終的には米の表面８０は計量線６０に沿うようになる。
【００２３】
図３（ｃ）には、計量カップ１００の計量線６０を水平に対し約４０°傾けた状態の図、計量カップ１００の初期状態の図、計量カップ１０１の初期状態の図が１つの図に表されている。図３（ｃ）に表されている角度θは、計量カップ１００を初期状態から計量線６０を水平に対し約４０°傾けた状態にするまでに計量カップ１００を傾ける角度を示す。図３（ｃ）に表されている角度φは、計量カップ１０１を初期状態から計量線６０を水平に対し約４０°傾けた状態にするまでに計量カップ１０１を傾ける角度を示す。この図によると、計量カップ１００、１０１内の米を計量部１０の容積の半分にするために計量カップ１００、１０１を傾ける角度は、計量カップ１００の方が大きいことがわかる。つまり、角度θ＞角度φの関係になっている。
【００２４】
計量カップ１００と計量カップ１０１とは、容積が同じであるため、計量カップ１００、１０１内の米を半分にするためにこぼす米粒の量は同じである。同じ量の米をこぼすために計量カップ１００、１０１を傾ける量が大きいということは、計量カップ１００と計量カップ１０１とを同じ量だけ傾けた時にこぼれる米粒の量は、計量カップ１００の方が少ないということである。すなわち、計量カップ１００は、計量カップ１０１よりも同じ量の米をこぼすときの計量カップ１００の傾け量の調整幅が広く、計量線６０に合わせるための微調整が容易であることが言える。
【００２５】
＜実施の形態１の効果＞
（１）実施の形態１に係る計量カップ１００は、筒体１１の一方の端部を塞ぎ底部１４とし、他方の端部が開放され開口部１５とした計量部１０を備え、開口部１５が形成する平面である開口面２１と、開口面２１に垂直な方向から見た時の開口部１５の形状の重心及び底部１４に垂直な方向から見た時の底部１４の形状の重心を通る直線である中心軸２２と、を有する。開口面２１は、中心軸２２に対し傾斜しており、底部１４は、開口面２１と平行に形成されている。
このように構成されることにより、計量カップ１００は、開口部１５の筒体１１と成す角度が鈍角になっている開口部交点３２から炊飯原料をこぼすことにより、こぼす米の量の微調整が容易となる。これにより、計量部１０内の炊飯原料を計量線６０に合わせ易く、計量部１０の容積の半分の量の米を容易に計量することができる。また、開口部１５の筒体１１と成す角度が鋭角になっている部分から例えば米びつ内の米などの炊飯原料に差し込むことにより、計量カップ１００は炊飯原料を掬うのが容易になっている。
【００２６】
（２）実施の形態１に係る計量カップ１００は、開口面２１の法線２３と中心軸２２とを含む平面である中央面２０と、中央面２０と開口部１５との２つの交点である開口部交点３１、３２と、筒体１１の内周面１６と計量部１０の底面１３との交線１７と、交線１７と中央面２０との２つの交点である底部交点３３、３４と、を有する。筒体１１は、計量線６０を備える。計量線６０は、開口部交点３１、３２と底部交点３３、３４を結んで形成される四角形２６の対角線２４、２５のうち短い方の対角線２４を、筒体１１に中央面２０に垂直な方向から投影してできた線に沿って形成されている。
このように構成されることにより、計量カップ１００は、傾けて計量部１０から米をこぼす動作をしながら、計量部１０内部の炊飯原料の表面を計量線６０に合わせることができる。上記（１）に記載したように計量カップ１００は、こぼす炊飯原料の量の調整も容易であることから、計量部１０の容積の半分の量の炊飯原料の計量がさらに容易になる。
【００２７】
実施の形態２．
実施の形態２は、実施の形態１に係る計量カップ１００に対し、開口部１５をＤカット形状にし、かつＤカット部の直線部１８に舌片部を備えた計量カップ２００について説明する。以下、計量カップ２００について、実施の形態１との変更点を中心に説明する。
【００２８】
図５は、本発明の実施の形態２に係る計量カップ２００の斜視図である。図６は、図５のＢ−Ｂ断面を示す説明図である。なお、図６は、計量カップ２００の計量部１０を透視して表してある。実施の形態２における計量カップ２００は、開口部１５を開口面２１に垂直な方向から見た時に、少なくとも開口部１５の一部に直線部１８を有する。直線部１８には、開口部１５の開口されている方向へ向けて延びる舌片部が備えられている。舌片部は、先端に向かうに従い肉厚が薄くなっており、開口部１５においては、筒体１１と同じ肉厚に形成されているが、先端に行くに従い筒体１１の内側から外側方向に向かって減肉され、薄くなっている。舌片部は、直線部１８の全域に設けられている。
【００２９】
＜計量カップ２００による計量＞
実施の形態２に係る計量カップ２００を使用した炊飯原料である米、麦などの穀類の計量について説明する。なお、以下の説明においては一例として、米を計量する場合について説明する。
【００３０】
実施の形態２においても実施の形態１と同様に、底部１４から開口部１５までの計量部１０の容積が例えば１合に設定されている。ユーザーは、米びつ内に貯留されている米に計量カップ２００を差し込み、米を計量部１０一杯に収容されるように米を掬い上げる。なお、計量カップ２００を、米に差し込む際に、図６に示される断面形状が鋭角になっている開口部交点３１側から米に差し込むと、容易に米に計量カップ２００の開口部１５を差し込むことができる。計量カップ２００においては、さらに開口部交点３１側に舌片部が備えられており、舌片部の先端は薄く形成され尖っているため、実施の形態１の計量カップ１００と比較して更に米に差し込み易くなっている。また、計量カップ２００は、舌片部を米びつ内の底面に沿って動かして米粒を掬い上げることができる。これにより、米びつ内に貯留されている米の量が少ないときに、底面上にある米粒を集めて掬い上げやすい様になっている。なお、計量カップ２００に対し、舌片部のみを取った構成にした場合であっても、開口部１５が直線部１８を有するため、計量カップ２００は、米びつ内の底面や隅部に溜まった米粒を掬い上げ易い構成になっている。
【００３１】
計量カップ２００に、計量部１０一杯に掬い上げた米を開口部１５の端面で摺り切ると、米を１合計量することができる。また、０．５合単位の米の計量を行うには、実施の形態１と同様に、計量部１０の半分以上の量の米を掬い上げ、計量部１０内にある米が０．５合、すなわち計量部１０の底部１４から開口部１５までの容積の半分になるように米を開口部１５からこぼして計量を行う。計量部１０から米をこぼす際には、筒体１１の中心軸２２について開口部交点３１と対称である開口部交点３２側から米をこぼす。
【００３２】
＜計量カップ２００の変形例＞
図７は、実施の形態２に係る計量カップ２００の変形例である計量カップ２０１の斜視図である。図８は、図７のＣ−Ｃ断面を示す説明図である。計量カップ２０１は、計量カップ２００の底部１４と開口部１５とを筒体１１に対し垂直になる様に形成したものである。計量カップ２０１においては、底部１４と開口部１５とが筒体１１に対し傾斜していないため、計量カップ２００よりも計量時に開口部１５からこぼす米の量の調整がしにくくなる。しかし、計量カップ２０１が備える舌片部については、計量カップ２００と同様に機能し、米びつ内の米への差し込み及び米びつ内の底部の米粒の掬い上げが容易になるという利点がある。
【００３３】
＜実施の形態２の効果＞
（３）実施の形態２に係る計量カップ２００によれば、実施の形態１の計量カップ１００に対し更に開口部１５は、開口面２１に垂直な方向から見た時の形状の少なくとも一部に直線部１８を有する。
このように構成されることにより、計量カップ２００は、実施の形態１に係る計量カップ１００と同様な効果を有し、さらに米びつ内の底部や隅部の米粒の掬い上げが容易になるという利点がある。
【００３４】
（４）実施の形態２に係る計量カップ２０１によれば、筒体１１の一方の端部を塞ぐ底部１４を有し、他方の端部が開放され開口部１５とした計量部１０を備える。開口部１５は、開口部１５が形成する平面である開口面２１に垂直な方向から見た時の形状が少なくとも一部に直線部１８を有する。
このように構成されることにより、計量カップ２０１は、米びつ内の底部や隅部の米粒の掬い上げが容易になるという利点がある。
【００３５】
（５）実施の形態２に係る計量カップ２００、２０１によれば、直線部１８は、開口部１５の開口している方向に向けて延びる舌片部を備え、舌片部は、先端に向かうに従い肉厚が筒体１１の内側から外側方向へ薄くなるように形成されている。
このように構成されることにより、上記の効果に加えて米びつ内底部の少量の米粒を集めて掬い上げ易いという効果が得られる。
【符号の説明】
【００３６】
１０  計量部、１１  筒体、１３  底面、１４  底部、１５  開口部、１６  内周面、１７  交線、１８  直線部、２０  中央面、２１  開口面、２２  中心軸、２３  法線、２４  対角線、２５  対角線、２６  四角形、２７  傾斜角度、３１  開口部交点、３２  開口部交点、３３  底部交点、３４  底部交点、６０  計量線、７０  舌片部、８０  表面、１００  計量カップ、１０１  計量カップ、２００  計量カップ、２０１  計量カップ、θ  角度、φ  角度。
【図１】
2017187308.tif 000003
【図２】
2017187308.tif 000004
【図３】
2017187308.tif 000005
【図４】
2017187308.tif 000006
【図５】
2017187308.tif 000007
【図６】
2017187308.tif 000008
【図７】
2017187308.tif 000009
【図８】
2017187308.tif 000010